(57)【要約】【課題】  スタッカテーブル上に積み重ねられた用紙の量によらず安定したスタッキング性能を得られる連続紙電子写真装置のスタッカ装置を提供する。【解決手段】  折ミシン目つき連続紙を積み重ねるスタッカテーブルと、スタッカテーブルを上下方向に移動させるモータと、用紙の排出速度及び折ミシン目方向に合わせ揺動動作を行うスイングフィンと、スタッカテーブル上に積み重ねられた用紙の高さを検出するハイトディテクトセンサと、スタッカテーブル高さを検出するテーブルハイトセンサを有するスタッカ装置において、前記テーブルハイトセンサが検出するスタッカテーブルの高さに応じて、ハイトディテクトセンサが用紙を検出してから前記スタッカテーブルを１回下降させる量を可変にする。【選択図】  図１
2007308270.tif 000002
【特許請求の範囲】
【請求項１】
折ミシン目つき連続紙を積み重ねるスタッカテーブルと、スタッカテーブルを上下方向に移動させるモータと、用紙の排出速度及び折ミシン目方向に合わせ揺動動作を行うスイングフィンと、スタッカテーブル上に積み重ねられた用紙の高さを検出するハイトディテクトセンサと、スタッカテーブル高さを検出するテーブルハイトセンサを有するスタッカ装置において、前記テーブルハイトセンサが検出するスタッカテーブルの高さに応じて、ハイトディテクトセンサが用紙を検出してから前記スタッカテーブルを１回下降させる量を可変することを特徴とする連続紙電子写真装置のスタッカ装置。
【請求項２】
前記スタッカテーブルの高さが高い程スタッカテーブルを１回下降させる量が大きいことを特徴とする請求項１記載の連続紙電子写真装置のスタッカ装置。
【発明の詳細な説明】
【技術分野】
【０００１】
本発明は連続紙電子写真装置のスタッカ装置に関するものである。
【背景技術】
【０００２】
はじめに従来の電子写真方式を用いたレーザビームプリンタの印刷プロセスの概要を図２を用いて説明する。
【０００３】
図２において、１はレーザビームプリンタであり、図示されていないコントローラからの印刷動作開始信号に基づいて感光ドラム３が矢印方向に回転を始める。感光ドラム３は、レーザビームプリンタ１の印刷速度に相当する速度で回転し、印刷動作が終了するまで回転を続ける。感光ドラム３が回転を開始すると、コロナ帯電器４に高電圧が印加され、感光ドラム３表面に例えば正の電荷が均一に帯電される。
【０００４】
回転多面鏡５は、レーザビームプリンタ１に電源が投入されると直ちに回転を開始し、電源が投入されている間、高精度に定速回転が維持される。光源６から出力したレーザビームは、回転多面鏡５で反射し、ｆθレンズ７を通じて感光ドラム３上を走査しながら照射する。
【０００５】
ドットイメージに変換された文字データや図形データがレーザビームのオン／オフ信号として図示されていないコントローラからレーザビームプリンタ１に送られると、感光ドラム３の表面にレーザビームが照射される部分と照射されない部分とが形成され、いわゆる静電潜像が形成される。この静電潜像を保持した感光ドラム領域が現像装置８と対向する位置に到達すると、静電潜像にトナーが供給され、レーザビームの照射により感光ドラム３上の電荷が消失した部分に、例えば正電荷に帯電したトナーが静電気により吸引されて感光ドラム３上にトナー像が形成される。
【０００６】
用紙ホッパ９に収納された連続した用紙１０は、用紙搬送トラクタ１１によって、感光ドラム３上に形成された印刷データのトナー像が転写位置に到達するタイミングと同期させて、感光ドラム３と転写器１２の間に向けて搬送される。
【０００７】
感光ドラム３上に形成されたトナー像は、用紙１０の背面側にトナー像と逆極性の電荷を付与する転写器１２の作用によって用紙１０上に吸引される。このようにして、用紙ホッパ９にセットされていた用紙１０は、用紙搬送トラクタ１１、転写器１２、用紙搬送トラクタ１１およびバッファプレート２４を経て定着装置２に搬送される。定着装置２に到達した用紙１０は、予備加熱板１３で予熱された後、ヒータランプ２５を備えた加熱ローラ１４と加圧ローラ１５からなる一対の定着ローラによって形成されるニップ部によって加熱加圧されながら挟持搬送され、トナー像が用紙１０に溶融定着される。
【０００８】
加熱ローラ１４と加圧ローラ１５によって送り出されてきた用紙１０は、用紙送出しローラ１６によってスタッカテーブル１９側へ送り出されるとともに、スイングフィン１７の揺動動作によってミシン目に沿って交互に折り分けられ、さらに、回転するパドル１８で折りたたみ状態が整えられながら、スタッカテーブル１９上に積み重ねられて行く。感光ドラム３の転写位置を通過した領域は、清掃装置２０で清掃され、次の印刷動作に備えられる。
【０００９】
なお、上述のバッファプレート２４は、用紙搬送トラクタ１１および定着ローラ１４,１５間で用紙搬送速度差が生じた場合に、用紙１０に発生するたるみ、あるいは張りを吸収するためのものである。
【００１０】
図２に示すように、用紙１０は加熱ローラ１４を通過した後、スイングフィン１７に入り、スイングフィン１７によってスタッカ装置３０内のスタッカテーブル１９上に正確に折りたたまれる。スタッカテーブル１９は、用紙高さを検出するハイトディテクトセンサ２８があり、ハイトディテクトセンサ２８が一定以上の用紙高さに用紙１０が折り畳まれたことを検出すると図示されていないモータを駆動してスタッカテーブル１９を一定距離下降させる。これにより、スイングフィン１７で折り畳まれる用紙の高さはあまり変動しないようになっている。
【００１１】
また、スタッカ装置３０には、スタッカ装置３０に入った用紙を冷却するファン２６が取り付けられており、スイングフィン１７によって折り分けられた後の用紙に風を吹きつけて冷却をする。スタッカ装置３０には用紙１０ジャムセンサが設置されていて用紙１０が通過するタイミングをセンスしている。用紙１０のスタッキング状態が異常となると用紙ジャムセンサを通過する用紙１０のタイミングが異常になり、用紙ジャムセンサは用紙折りたたみ状況の異常を検知してエラーを発生させ、それ以上用紙１０が損傷するのを防いでいる。
【００１２】
【特許文献１】特開２００３−９５５３１号公報
【発明の開示】
【発明が解決しようとする課題】
【００１３】
ところで、印刷中にハイトディテクトセンサ２８が用紙を一定時間検出したときに、テーブルモータを一定時間駆動させてスタッカテーブル１９を下降させるている。このとき、スタッカテーブル１９上に積み重ねられた用紙１０が多くなり、スタッカテーブル１９の高さが低くなると、用紙１０のカールが大きくなる。これは加熱ローラ１４でミシン目を加熱加圧しているためである。スタッカテーブル１９は山形をしているため、スタッカテーブル１９上に積み重ねられた用紙１０が少ないときには、ベルト１８がミシン目を叩くことができるが、スタッカテーブル１９に積み重ねられた用紙１０が多くなると、カールにより、スタッカテーブル１９上の用紙１０のミシン目が盛り上がった状態になり、ベルト１８がミシン目を叩きづらくなる。
【００１４】
すると、スタッカテーブル１９上の用紙１０が隙間の空いた状態で重なっていくので、ハイトデテクトセンサ２８を遮るまでの間隔が早くなり、スタッカテーブル１９をダウンさせる間隔が早くなる。するとベルト１８によるミシン目への押し付けが弱くなり、さらにカールを増大させ、折り畳み性能を悪化させるという問題があった。
【００１５】
この状態を図４に示す。スタッカテーブル１９上の用紙が多くなり、スタッカテーブル１９の高さがｈ３のときには、用紙１０のカールが大きくなり、ベルト１８の叩きが少なくなっている状態を示したものである。カール防止のために、スタッカテーブル１９の高さがｈ１の状態で、スタッカテーブル１回当たりの下降量を少なくし、ベルト１８による叩きを多くしようとした場合、用紙１０を冷却するファン２６の効果が少なくなる問題がある。
【課題を解決するための手段】
【００１６】
本発明は、折ミシン目つき連続紙を積み重ねるスタッカテーブルと、スタッカテーブルを上下方向に移動させるモータと、用紙の排出速度及び折ミシン目方向に合わせ揺動動作を行うスイングフィンと、スタッカテーブル上に積み重ねられた用紙の高さを検出するハイトディテクトセンサと、スタッカテーブル高さを検出するテーブルハイトセンサを有するスタッカ装置において、前記テーブルハイトセンサが検出するスタッカテーブルの高さに応じて、ハイトディテクトセンサが用紙を検出してから前記スタッカテーブルを１回下降させる量を可変することを特徴とする。
【発明の効果】
【００１７】
本発明によれば、スタッカテーブル上に積み重ねられた用紙の量によらず安定したスタッキング性能を得られる連続紙電子写真装置のスタッカ装置を提供することができる。
【発明を実施するための最良の形態】
【００１８】
折り畳み性能を満足する目的を、最小の部品点数で実現した。図１は本発明になるスタッカテーブル１９の下降制御フローチャート、図５は本発明になる電子写真方式を用いたレーザビームプリンタを示しており、図２との違いは、スタッカテーブル１９の高さを検出するためのテーブルハイトセンサ３１が追加されていることである。
【００１９】
図示されていないスタッカテーブル制御マイクロコンピュータは、印刷が開始した後、ハイトディテクトセンサ２８が規定時間ｔの間用紙１０を検出すると、マイクロコンピュータは、テーブルハイトセンサ３１によりスタッカテーブル１９の高さｈを検出し、記憶したスタッカテーブル１９の高さにより定められた長さ分、図示されていないテーブルモータを駆動することにより、スタッカテーブル２８を降下させる。図３は、スタッカテーブル１９の高さとスタッカテーブル降下長さの関係を示す。例えば、スタッカテーブル１９の高さがｈ２である場合、スタッカテーブル１回当たりの下降量はＬ２ｍｍとなるように制御する。
【００２０】
スタッカテーブル１９の高さが低い場合には、ハイトデテクトセンサ２８が用紙１０を検出するまでの時間が早くなるため、スタッカテーブル１９の高さが高い順にｈ１＞ｈ２＞ｈ３の関係にあるとき、スタッカテーブル１回当たりの下降量は、Ｌ１＞Ｌ２＞Ｌ３の関係とする。
【図面の簡単な説明】
【００２１】
【図１】本発明の実施例を示すフローチャート。
【図２】従来例および本発明の連続紙電子写真装置の概略図。
【図３】本発明のスタッカテーブルの高さとスタッカテーブル降下長さの関係を示す表。
【図４】従来例におけるスタッカテーブルの高さが低くなったときの用紙の状態を示す概略図。
【図５】本発明の実施例を示す連続紙電子写真装置の概略図。
【符号の説明】
【００２２】
１は連続紙電子写真装置本体、１０は用紙、２８はハイトディテクトセンサ、１９はスタッカテーブル、３０はスタッカ装置、３１はテーブルハイトセンサである。
【図１】
2007308270.tif 000003
【図２】
2007308270.tif 000004
【図３】
2007308270.tif 000005
【図４】
2007308270.tif 000006
【図５】
2007308270.tif 000007